(57)【特許請求の範囲】
【請求項１】
洗浄水を貯留する洗浄タンクと、
前記洗浄タンク内の洗浄水を、排水トラップ部に連なる便鉢側へ排出させる排水路と、
前記排水路の上流端に設けられた開閉可能な排水弁と、
通水路を介して前記排水路と連通し、前記排水弁が開弁したときには、前記洗浄タンク内の水頭圧により洗浄水の一部が前記排水路から前記通水路を通って流入するようになっている貯水部と、
前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、
前記残留手段は、前記排水弁が閉弁した時点での前記貯水部の水位が、前記洗浄タンクの水位と同じかそれよりも少し低くなるように構成されていることを特徴とする洗浄タンク装置。
【請求項２】
洗浄水を貯留する洗浄タンクと、
前記洗浄タンク内の洗浄水を、排水トラップ部に連なる便鉢側へ排出させる排水路と、
前記排水路の上流端に設けられた開閉可能な排水弁と、
通水路を介して前記排水路と連通し、前記排水弁が開弁したときには、前記洗浄タンク内の水頭圧により洗浄水の一部が前記排水路から前記通水路を通って流入するようになっている貯水部と、
前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、
前記残留手段は、
洗浄水が前記貯水部に流入するときの前記通水路の下流端を、前記排水弁よりも高い位置に配置する形態と、
前記通水路の前記下流端よりも低い位置に、前記貯水部内の洗浄水を流入時よりも少ない流量で前記排水路側へ流出させる絞り部を設ける形態とを備えて構成されていることを特徴とする洗浄タンク装置。
【請求項３】
前記残留手段は、前記絞り部の開口面積を調節可能な開口調節手段を備えていることを特徴とする請求項２記載の洗浄タンク装置。
【請求項４】
前記残留手段は、前記通水路の前記下流端の高さを調節可能な高さ調節手段を備えていることを特徴とする請求項２または請求項３に記載の洗浄タンク装置。
【請求項５】
洗浄水を貯留する洗浄タンクと、
前記洗浄タンク内の洗浄水を、排水トラップ部に連なる便鉢側へ排出させる排水路と、
前記排水路の上流端に設けられた開閉可能な排水弁と、
通水路を介して前記排水路と連通し、前記排水弁が開弁したときには、前記洗浄タンク内の水頭圧により洗浄水の一部が前記排水路から前記通水路を通って流入するようになっている貯水部と、
前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、
前記貯水部が、前記洗浄タンクの内部に配置され、上端の開口が前記洗浄タンク内に臨む形態のオーバーフロー管を備えていることを特徴とする洗浄タンク装置。
【請求項６】
洗浄水を貯留する洗浄タンクと、
前記洗浄タンク内の洗浄水を、排水トラップ部に連なる便鉢側へ排出させる排水路と、
前記排水路の上流端に設けられた開閉可能な排水弁と、
通水路を介して前記排水路と連通し、前記排水弁が開弁したときには、前記洗浄タンク内の水頭圧により洗浄水の一部が前記排水路から前記通水路を通って流入するようになっている貯水部と、
前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、
洗浄水が前記貯水部に流入するときの前記通水路の下流端の近傍には、前記通水路の前記下流端から吐出した洗浄水を、前記貯水部側へ誘導するための誘導面が設けられていることを特徴とする洗浄タンク装置。
【請求項７】
洗浄水を貯留する洗浄タンクと、
前記洗浄タンク内の洗浄水を、排水トラップ部に連なる便鉢側へ排出させる排水路と、
前記排水路の上流端に設けられた開閉可能な排水弁と、
通水路を介して前記排水路と連通し、前記排水弁が開弁したときには、前記洗浄タンク内の水頭圧により洗浄水の一部が前記排水路から前記通水路を通って流入するようになっている貯水部と、
前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、
前記貯水部の上面が、前記洗浄タンクの満水時の水位よりも高い位置に開放されていることを特徴とする洗浄タンク装置。
【請求項８】
前記残留手段は、前記貯水部から前記排水路側への洗浄水の排出流量が、前記通水路から前記貯水部内への洗浄水の流入流量よりも少なくなるように構成されていることを特徴とする請求項１ないし請求項７のいずれか１項に記載の洗浄タンク装置。
【発明の詳細な説明】
【技術分野】
【０００１】
本発明は、洗浄タンク装置に関するものである。
【背景技術】
【０００２】
サイホン式便器では、便器洗浄を行うために洗浄タンクの排水弁を開弁して、洗浄タンク内の洗浄水を放出すると、排水トラップ部の溜水がサイホン現象によって一気に下流側へ流出するため、排水弁の閉弁後に、排水トラップ部への給水を行って封水切れを防止する必要がある。この封水切れを防止するための手段として、特許文献１には、ボールタップから供給される水の一部を、排水トラップ部への補給水としてオーバーフロー管に給水するようにした洗浄タンク装置が開示されている。
【先行技術文献】
【特許文献】
【０００３】
【特許文献１】特開２００６−２８３３５５号公報
【発明の概要】
【発明が解決しようとする課題】
【０００４】
ボールタップの開弁時間は小洗浄に比べて大洗浄が長いため、大洗浄の場合には、排水トラップ部への給水量が過剰となり、無駄に排出される水量が多くなる。また、オーバーフロー管への給水流量は、上水からボールタップへの給水圧によっても増減し、給水圧が高いほど排水トラップ部への給水量が多くなるため、その分、排水トラップ部から無駄に排出される水量も多くなる。
本発明は上記のような事情に基づいて完成されたものであって、節水を図ることを目的とする。
【課題を解決するための手段】
【０００５】
上記の目的を達成するための手段として、請求項１の発明は、洗浄水を貯留する洗浄タンクと、前記洗浄タンク内の洗浄水を、排水トラップ部に連なる便鉢側へ排出させる排水路と、前記排水路の上流端に設けられた開閉可能な排水弁と、通水路を介して前記排水路と連通し、前記排水弁が開弁したときには、前記洗浄タンク内の水頭圧により洗浄水の一部が前記排水路から前記通水路を通って流入するようになっている貯水部と、前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、前記残留手段は、前記排水弁が閉弁した時点での前記貯水部の水位が、前記洗浄タンクの水位と同じかそれよりも少し低くなるように構成されているところに特徴を有する。
【０００６】
請求項２の発明は、洗浄水を貯留する洗浄タンクと、前記洗浄タンク内の洗浄水を、排水トラップ部に連なる便鉢側へ排出させる排水路と、前記排水路の上流端に設けられた開閉可能な排水弁と、通水路を介して前記排水路と連通し、前記排水弁が開弁したときには、前記洗浄タンク内の水頭圧により洗浄水の一部が前記排水路から前記通水路を通って流入するようになっている貯水部と、前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、前記残留手段は、洗浄水が前記貯水部に流入するときの前記通水路の下流端を、前記排水弁よりも高い位置に配置する形態と、前記通水路の前記下流端よりも低い位置に、前記貯水部内の洗浄水を流入時よりも少ない流量で前記排水路側へ流出させる絞り部を設ける形態とを備えて構成されているところに特徴を有する。
【０００７】
請求項３の発明は、請求項２に記載のものにおいて、前記残留手段は、前記絞り部の開口面積を調節可能な開口調節手段を備えているところに特徴を有する。
【０００８】
請求項４の発明は、請求項２又は請求項３に記載のものにおいて、前記残留手段は、前記通水路の前記下流端の高さを調節可能な高さ調節手段を備えているところに特徴を有する。
【０００９】
請求項５の発明は、洗浄水を貯留する洗浄タンクと、前記洗浄タンク内の洗浄水を、排水トラップ部に連なる便鉢側へ排出させる排水路と、前記排水路の上流端に設けられた開閉可能な排水弁と、通水路を介して前記排水路と連通し、前記排水弁が開弁したときには、前記洗浄タンク内の水頭圧により洗浄水の一部が前記排水路から前記通水路を通って流入するようになっている貯水部と、前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、前記貯水部が、前記洗浄タンクの内部に配置され、上端の開口が前記洗浄タンク内に臨む形態のオーバーフロー管を備えているところに特徴を有する。
【００１０】
請求項６の発明は、洗浄水を貯留する洗浄タンクと、前記洗浄タンク内の洗浄水を、排水トラップ部に連なる便鉢側へ排出させる排水路と、前記排水路の上流端に設けられた開閉可能な排水弁と、通水路を介して前記排水路と連通し、前記排水弁が開弁したときには、前記洗浄タンク内の水頭圧により洗浄水の一部が前記排水路から前記通水路を通って流入するようになっている貯水部と、前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、洗浄水が前記貯水部に流入するときの前記通水路の下流端の近傍には、前記通水路の前記下流端から吐出した洗浄水を、前記貯水部側へ誘導するための誘導面が設けられているところに特徴を有する。
【００１１】
請求項７の発明は、洗浄水を貯留する洗浄タンクと、前記洗浄タンク内の洗浄水を、排水トラップ部に連なる便鉢側へ排出させる排水路と、前記排水路の上流端に設けられた開閉可能な排水弁と、通水路を介して前記排水路と連通し、前記排水弁が開弁したときには、前記洗浄タンク内の水頭圧により洗浄水の一部が前記排水路から前記通水路を通って流入するようになっている貯水部と、前記洗浄タンク内の洗浄水が前記便鉢側へ排出されて前記排水弁が閉弁した状態で、前記貯水部内に流入した洗浄水を残留させておくとともに、前記排水弁が閉弁した後に前記貯水部内の洗浄水を前記排水路側へ排出させる残留手段とを備え、前記貯水部の上面が、前記洗浄タンクの満水時の水位よりも高い位置に開放されているところに特徴を有する。
【００１２】
請求項８の発明は、請求項１ないし請求項７のいずれかに記載のものにおいて、前記残留手段は、前記貯水部から前記排水路側への洗浄水の排出流量が、前記通水路から前記貯水部内への洗浄水の流入流量よりも少なくなるように構成されているところに特徴を有する。
【発明の効果】
【００１３】
＜請求項１の発明＞
排水弁が開弁すると、洗浄タンク内の洗浄水が便鉢側へ排出され始めるとともに、洗浄タンク内の水頭圧によって洗浄水の一部が貯水部内に流入する。その後、排水弁が閉弁しても、閉弁した時点では、残留手段によって貯水部内には洗浄水が残留したままである。この貯水部内の洗浄水は、排水弁が閉弁した後、排水路側へ排出されて排水トラップ部に補給される。
【００１４】
本発明では、排水トラップ部へ補給するために貯水部に貯留される洗浄水の量が、洗浄タンクの満水時の水頭圧によって決まるので、大洗浄と小洗浄のいずれの洗浄形態でも、排水トラップ部への補給水量が一定となる。また、貯水部における洗浄水の貯水量は、上水から洗浄タンクへの給水圧の影響を受けることもない。したがって、排水トラップ部に過剰な水量の洗浄水が補給されるのを回避することができる。これにより、排水トラップ部から無駄に排出される水量を低減して節水を図ることができる。
【００１５】
また、排水弁が閉弁した時点で貯水部内に残留する洗浄水の水量は、閉弁後における排水トラップ部への補給水量となるのであるが、本発明では、閉弁時の貯水部の水位がほぼ一定となるようにしたので、排水トラップ部への補給水量が無駄に多くならずに済む。
【００１６】
＜請求項２の発明＞
排水弁が開弁すると、洗浄タンクの水頭圧により洗浄水が通水路を通って貯水部内に流入し、洗浄タンク内と貯水部内が同じ水位になった後は、通水路内の洗浄水が洗浄タンク内の洗浄水と概ね同じ水位を保ちながら排水路へ排出される。この間、貯水部内の洗浄水は、絞り部において排水路側への排出水量を絞られるので、排水弁が閉弁するまでの間、貯水部内には洗浄液が残留したままとなる。そして、排水弁が閉弁した後、貯水部内に残留する洗浄水が排水路側へ排出される。
【００１７】
本発明によれば、貯水部内に残留する洗浄水の最高水位は、通水路の下流端と同じ高さであり、この高さは、大小の洗浄形態や洗浄タンクへの給水圧の影響を受けず、一定である。したがって、大小の洗浄形態や洗浄タンクへの給水圧が変化しても、排水トラップ部に補給される洗浄水の水量を、常に一定に保つことができる。
【００１８】
＜請求項３の発明＞
絞り部の開口面積を調節することにより、排水トラップ部への補給に要する時間を適宜に設定することができる。
【００１９】
＜請求項４の発明＞
通水路の下流端の高さを調節することにより、排水弁が閉弁した時点で貯水部に残留する洗浄水の水量を適宜に変更することができる。
【００２０】
＜請求項５の発明＞
貯水部がオーバーフロー管の機能を兼ね備えているので、貯水部とオーバーフロー管を別々に設ける場合に比べると、洗浄タンクの内部の構造を簡素化することが可能である。
【００２１】
＜請求項６の発明＞
通水路の下流端から吐出した洗浄水は、誘導面によって貯水部側へ誘導されるので、貯水部へ所定水量の洗浄水を確実に流入させることができる。
【００２２】
＜請求項８の発明＞
貯水部への洗浄水の流入水量が比較的多いので、貯水部内に所定量の洗浄水を確実に残留させることができる。また、貯水部から排水路側への排出水量が比較的少ないので、排水トラップ部へ補給される洗浄水の流動に起因する異音の発生を抑えることができる。
【図面の簡単な説明】
【００２３】
【図１】実施形態１の洗浄タンク装置において、排水弁が閉弁して洗浄タンク内が満水になっている状態をあらわす断面図
【図２】排水弁が開弁して、貯水部内に洗浄水が流入している途中の状態をあらわす断面図
【図３】洗浄タンク内と貯水部内が同水位になって、貯水部への洗浄水の流入が完了した状態をあらわす断面図
【図４】排水弁が閉弁した直後において、貯水部内の洗浄水が便鉢側へ排出されている状態をあらわす断面図
【図５】実施形態２の洗浄タンク装置において、排水弁が閉弁して洗浄タンク内が満水になっている状態をあらわす断面図
【図６】排水弁が開弁して、貯水部内に洗浄水が流入している途中の状態をあらわす断面図
【図７】洗浄タンク内と貯水部内が同水位になって、貯水部への洗浄水の流入が完了した状態をあらわす断面図
【図８】排水弁が閉弁した直後において、貯水部内の洗浄水が便鉢側へ排出されている状態をあらわす断面図
【図９】実施形態３の洗浄タンク装置において、絞り部の開口面積を拡げるとともに、通水路の下流端の高さを低くした状態をあらわす断面図
【図１０】実施形態３の洗浄タンク装置において、絞り部の開口面積を狭めるとともに、通水路の下流端の高さを高くした状態をあらわす断面図
【図１１】実施形態４の洗浄タンク装置の断面図
【発明を実施するための形態】
【００２４】
＜実施形態１＞
以下、本発明を具体化した実施形態１を図１〜図４を参照して説明する。本実施形態１の洗浄タンク装置Ｔａは、洗浄タンク１０と、排水弁１２と、排水路１６と、補給手段２０Ａとを備えて構成されている。
【００２５】
＜洗浄タンク１０＞
洗浄タンク１０は、上水に接続されたボールタップの給水弁１１と、洗浄レバー（図示省略）とを備えている。給水弁１１が開弁すると洗浄タンク１０内には洗浄水Ｗが供給され、洗浄タンク１０内が所定の水位まで上昇すると、給水弁１１が閉弁して洗浄タンク１０への洗浄水Ｗの供給が停止し、洗浄タンク１０内が満水状態となる。洗浄タンク１０の底壁部には、弁口１３を上方からフロート１４で開閉する形態の排水弁１２が設けられている。
【００２６】
洗浄レバーの操作によりフロート１４が持ち上げられると、排水弁１２が開弁し、洗浄タンク１０内の洗浄水Ｗが便鉢１５側へ排出される。大洗浄の場合は、フロート１４が高く持ち上げられ、排水弁１２が開弁してから閉弁するまでに要する時間が長いので、洗浄タンク１０から便鉢１５側への排水量が多く、洗浄タンク１０内の水位低下が大きい。小洗浄の場合は、フロート１４の持ち上げ高さが低く、排水弁１２の開弁時間が大洗浄に比べて短いので、便鉢１５側への排水量が少なく、洗浄タンク１０内の水位低下が小さい。
【００２７】
＜排水路１６＞
排水路１６は、排水弁１２から排出された洗浄水Ｗを便鉢１５に供給するための流路である。上記排水弁１２は排水路１６の上流端に配置されている。排水路１６を通って便鉢１５に供給された洗浄水Ｗは、便鉢１５内の汚物を下流側へ押し流し、押し流された汚物と洗浄水Ｗは、便鉢１５に連なる排水トラップ部１７を通過して下水へ排出される。この洗浄時における洗浄水Ｗの便鉢１５への供給流量は大きいので、汚物と洗浄水Ｗは、勢い良く排水トラップ部１７を通過する。そのため、排水弁１２が閉弁して便鉢１５への洗浄水Ｗの供給が急に停止すると、排水トラップ部１７内に貯留すべき水の量が不足して、封水切れが発生する虞がある。
【００２８】
＜補給手段２０Ａ＞
封水切れを防止する手段として、本実施形態１の洗浄タンク装置Ｔａには、排水トラップ部１７へ封水用の水を補給するための補給手段２０Ａが設けられている。補給手段２０Ａは、貯水部２１Ａと、通水路２２Ａと、残留手段３０Ａとを備えて構成されている。
【００２９】
＜貯水部２１Ａ＞
貯水部２１Ａは、上面が開放されるとともに下面が底壁部で閉塞された有底筒形状をなし、洗浄タンク１０の内部に配置されている。貯水部２１Ａの上面は、洗浄タンク１０の満水時の水位よりも高い位置に開放されている。この貯水部２１Ａ内には、排水弁１２が閉弁した後に排水トラップ部１７へ補給するための補給水が貯留されるようになっている。
【００３０】
＜通水路２２Ａ＞
通水路２２Ａは、共通流路２３Ａと、連通路２４Ａと、導水路２５Ａとから構成されている。共通流路２３Ａの一端部は、排水路１６における弁口１３（排水弁１２）に近い位置であって貯水部２１Ａの底壁部よりも低い位置に、連通状態で接続されている。共通流路２３Ａの他方の端部には、洗浄タンク１０内に設けたオーバーフロー管２６Ａの下端部が、連通状態で接続されている。連通路２４Ａの一方の端部は、共通流路２３Ａの他方の端部に連通状態で接続されている。したがって、共通流路２３Ａの他方（排水路１６とは反対側）の端部においては、オーバーフロー管２６Ａと連通路２４Ａが分岐した状態で連なっている。連通路２４Ａの他方の端部は、貯水部２１Ａの底壁部に接続されている。
【００３１】
導水路２５Ａは、上下方向に延びていて、貯水部２１Ａ内に設けられている。導水路２５Ａの下端部は、底壁部において連通路２４Ａの他方の端部と連通状態に接続されている。導水路２５Ａの上端２７Ａ（洗浄水Ｗが貯水部２１Ａに流入するときの通水路２２Ａの下流端）は、洗浄タンク１０の満水時の水位よりも低く、且つ排水弁１２よりも高い位置において上向きに開口されている。上記のように、通水路２２Ａは排水路１６と貯水部２１Ａとを連通する流路となっている。洗浄タンク１０が満水の状態で排水弁１２が開弁すると、洗浄タンク１０の水頭圧により、排水弁１２から排水路１６側へ流出した洗浄水Ｗの一部が、流動抵抗により共通流路２３Ａと連通路２４Ａと導水路２５Ａを順に通り、導水路２５Ａの上端２７Ａの開口から貯水部２１Ａ内に流入して貯留されるようになっている。
【００３２】
＜残留手段３０Ａ＞
残留手段３０Ａは、上述の洗浄水Ｗが貯水部２１Ａに流入するときの通水路２２Ａの下流端（導水路２５Ａの上端２７Ａ）を排水弁１２よりも高い位置に配置する形態と、絞り部３１Ａを設ける形態とを備えて構成されている。貯水部２１Ａのうち導水路２５Ａの上端２７Ａよりも下方の空間は、残留空間３２Ａとなっている。絞り部３１Ａは、導水路２５Ａの下端部、つまり残留空間３２Ａ（貯水部２１Ａ）の下端部（底壁部の上面とほぼ同じ高さ）に形成され、残留空間３２Ａの下端部において貯水部２１Ａと導水路２５Ａとを連通させている。残留空間３２Ａ内の洗浄水Ｗは、絞り部３１Ａを通って通水路２２Ａ内（排水路１６側）へ排出されるようになっている。この絞り部３１Ａの開口面積は、通水路２２Ａの流路の断面積よりも小さく設定されている。したがって、絞り部３１Ａを通って残留空間３２Ａから排水路１６側（通水路２２Ａ内）排出される洗浄水Ｗの流量は、通水路２２Ａを通って導水路２５Ａの上端２７Ａから残留空間３２Ａに流入する洗浄水Ｗの流量よりも少ない。
【００３３】
＜作用＞
次に、本実施形態１の作用を説明する。図１に示すように、洗浄タンク１０内が満水となっている状態で洗浄レバーを大洗浄方向へ操作すると、フロート１４が高く持ち上げられて排水弁１２が開弁する。排水弁１２が開弁すると、図２に示すように、洗浄タンク１０内の洗浄水Ｗが便鉢１５側へ排出され始め、洗浄タンク１０の水位が低下していくとともに、洗浄タンク１０の水頭圧により洗浄水Ｗの一部が通水路２２Ａを通って貯水部２１Ａ内に流入し、貯水部２１Ａ内の水位が次第に上昇していく。この間、オーバーフロー管２６Ａ内の水位も貯水部２１Ａと同様に上昇していく。
【００３４】
そして、図３に示すように、貯水部２１Ａ内の水位が洗浄タンク１０内と同じ水位になると、貯水部２１Ａへの洗浄水Ｗの流入が行われなくなり、それ以降は、通水路２２Ａ内及びオーバーフロー管２６Ａ内の洗浄水Ｗが、洗浄タンク１０内の洗浄水Ｗと概ね同じ水位を保ちながら排水路１６へ急速に排出される。この間、残留空間３２Ａ内の洗浄水Ｗは、絞り部３１Ａにおいて通水路２２Ａ内（排水路１６側）への排出水量を絞られるので、残留空間３２Ａ内の水位は、洗浄タンク１０内の水位よりも高い状態が維持される。
【００３５】
この後、洗浄タンク１０内の水位が大きく低下すると、フロート１４が弁口１３を塞いで排水弁１２が閉弁されるが、排水弁１２が閉弁した時点では、残留空間３２Ａ内には残留手段３０Ａにより洗浄水Ｗが残留したままとなる。そして、図４に示すように、排水弁１２が閉弁した後は、残留空間３２Ａ内に残留する洗浄水Ｗが、絞り部３１Ａと通水路２２Ａを順に通過して排水路１６側へ排出され、排水トラップ部１７に補給される。
【００３６】
また、洗浄タンク１０内が満水となっている状態で洗浄レバーを小洗浄方向へ操作すると、排水弁１２が開弁し、大洗浄時と同様に、洗浄タンク１０内の洗浄水Ｗが便鉢１５側へ排出されるとともに、洗浄タンク１０の水頭圧によって洗浄水Ｗの一部が通水路２２Ａを通って貯水部２１Ａ内に流入していく。そして、貯水部２１Ａ内の水位が洗浄タンク１０内と同じ水位になるが、このときの貯水部２１Ａの水位は、大洗浄の時とほぼ同じ高さである。これ以降も、大洗浄時と同様、洗浄タンク１０内の洗浄水Ｗが排水路１６へ排出されるが、残留空間３２Ａ内の水位は、絞り部３１Ａにより洗浄タンク１０の水位よりも高い状態が維持される。
【００３７】
この後、フロート１４が弁口１３を塞いで排水弁１２が閉弁されるのであるが、洗浄レバーの操作によってフロート１４が持ち上げられる高さは大洗浄の時よりも低いので、排水弁１２が開弁している時間は大洗浄時よりも短い。しかし、残留空間３２Ａの高さ寸法（底壁部から導水路２５Ａの上端２７Ａまでの高さ）は大小いずれの洗浄形態でも変わらないので、残留空間３２Ａに残留する洗浄水Ｗの最高水位は、大洗浄時とほぼ同じ高さである。そして、排水弁１２が閉弁した後は、残留空間３２Ａ内に残留する洗浄水Ｗが、絞り部３１Ａと通水路２２Ａを順に通過して排水路１６側へ排出され、排水トラップ部１７に補給される。
【００３８】
＜実施形態２＞
次に、本発明を具体化した実施形態２を図５〜図８を参照して説明する。本実施形態２の洗浄タンク装置Ｔｂは、補給手段２０Ｂを上記実施形態１とは異なる構成としたものである。その他の構成については上記実施形態１と同じであるため、同じ構成については、同一符号を付し、構造、作用及び効果の説明は省略する。
【００３９】
＜補給手段２０Ｂ＞
排水トラップ部１７へ封水用の水を補給して封水切れを防止する補給手段２０Ｂは、貯水部２１Ｂと、通水路２２Ｂと、残留手段３０Ｂとを備えて構成されている。
【００４０】
＜貯水部２１Ｂ＞
貯水部２１Ｂは、上面が上壁部で閉塞されるとともに下面が底壁部で閉塞された箱状の本体部３３Ｂを有する。本体部３３Ｂは、洗浄タンク１０の内部に収容され、洗浄タンク１０の満水時の水位よりも低い位置に配置されている。貯水部２１Ｂは、本体部３３Ｂの上壁部から上方へ延出した形態であって本体部３３Ｂ内と連通するオーバーフロー管２６Ｂを有している。オーバーフロー管２６Ｂの上端は、洗浄タンク１０の満水時の水位よりも高い位置で開口している。この貯水部２１Ｂ内には、排水弁１２が閉弁した後に排水トラップ部１７へ補給するための補給水（洗浄水Ｗ）が貯留されるようになっている。
【００４１】
＜通水路２２Ｂ＞
通水路２２Ｂは、連通路２４Ｂと、導水路２５Ｂとから構成されている。連通路２４Ｂの一端部は、排水路１６における弁口１３（排水弁１２）に近い位置であって貯水部２１Ｂの底壁部よりも低い位置に、連通状態で接続されている。連通路２４Ｂの他方の端部は、貯水部２１Ｂの底壁部に接続されている。導水路２５Ｂは、上下方向に延びていて、本体部３３Ｂ内に設けられている。導水路２５Ｂの下端部は、貯水部２１Ｂの底壁部において連通路２４Ｂの他方の端部と連通状態に接続されている。導水路２５Ｂの上端２７Ｂ（洗浄水Ｗが貯水部２１Ｂに流入するときの通水路２２Ｂの下流端）は、洗浄タンク１０の満水時の水位及び本体部３３Ｂの上壁部よりも低い位置で、且つ排水弁１２よりも高い位置において上向きに開口されている。
【００４２】
上記のように、通水路２２Ｂは排水路１６と貯水部２１Ｂとを連通する流路となっている。洗浄タンク１０が満水の状態で排水弁１２が開弁すると、洗浄タンク１０の水頭圧により、排水弁１２から排水路１６側へ流出した洗浄水Ｗの一部が、流動抵抗により連通路２４Ｂと導水路２５Ｂを順に通り、導水路２５Ｂの上端２７Ｂの開口から貯水部２１Ｂ内に流入して貯留されるようになっている。本体部３３Ｂのうち導水路２５Ｂの上端２７Ｂよりも下方の空間は、残留空間３２Ｂとなっている。また、本体部３３Ｂの上壁部は、導水路２５Ｂの上端２７Ｂ（通水路２２Ｂの下流端）の近傍位置に対向するように配置されているので、通水路２２Ｂの下流端から吐出した洗浄水Ｗを残留空間３２Ｂ側へ下向きに反射して誘導するための誘導面３４Ｂとして機能する。
【００４３】
＜残留手段３０Ｂ＞
残留手段３０Ｂは、通水路２２Ｂの下流端（導水路２５Ｂの上端２７Ｂ）を排水弁１２よりも高い位置に配置する形態と、絞り部３１Ｂを設ける形態とを備えて構成されている。絞り部３１Ｂは、導水路２５Ｂの下端部、つまり残留空間３２Ｂ（貯水部２１Ｂ）の下端部に形成され、残留空間３２Ｂの下端部において貯水部２１Ｂと導水路２５Ｂとを連通させている。残留空間３２Ｂ内の洗浄水Ｗは、絞り部３１Ｂを通って通水路２２Ｂ内（排水路１６側）へ排出されるようになっている。この絞り部３１Ｂの開口面積は、通水路２２Ｂの流路の断面積よりも小さく設定されている。したがって、絞り部３１Ｂを通って残留空間３２Ｂから排水路１６側（通水路２２Ｂ内）排出される洗浄水Ｗの流量は、通水路２２Ｂを通って導水路２５Ｂの上端２７Ｂから貯水部２１Ｂに流入する洗浄水Ｗの流量よりも少ない。
【００４４】
＜作用＞
次に、本実施形態２の作用を説明する。図４に示すように、洗浄タンク１０内が満水となっている状態で洗浄レバー（図示省略）を大洗浄方向へ操作すると、フロート１４が高く持ち上げられて排水弁１２が開弁する。排水弁１２が開弁すると、図５に示すように、洗浄タンク１０内の洗浄水Ｗが便鉢１５側へ排出され始め、洗浄タンク１０の水位が低下していくとともに、洗浄タンク１０の水頭圧によって洗浄水Ｗの一部が通水路２２Ｂを通って貯水部２１Ｂ内に流入する。洗浄水Ｗの流入に伴い、貯水部２１Ｂの水位は、次第に上昇し、本体部３３Ｂの上壁部を越えてオーバーフロー管２６Ｂまで達する。
【００４５】
そして、図５に示すように、貯水部２１Ｂ（オーバーフロー管２６Ｂ）内の水位が洗浄タンク１０内と同じ水位になると、貯水部２１Ｂへの洗浄水Ｗの流入が行われなくなる。それ以降は、オーバーフロー管２６Ｂ内の洗浄水Ｗと、本体部３３Ｂのうち残留空間３２Ｂよりも上方の空間内の洗浄水Ｗと、通水路２２Ｂ内の洗浄水Ｗが、洗浄タンク１０内の洗浄水Ｗと概ね同じ水位を保ちながら排水路１６へ急速に排出される。
【００４６】
この間、残留空間３２Ｂ内の洗浄水Ｗは、絞り部３１Ｂにおいて通水路２２Ｂ内（排水路１６側）への排出水量を絞られるので、貯水部２１Ｂ内の水位は、洗浄タンク１０内の水位よりも高い状態が維持される。この後、洗浄タンク１０内の水位が大きく低下すると、フロート１４が弁口１３を塞いで排水弁１２が閉弁されるが、排水弁１２が閉弁した時点では、残留空間３２Ｂ内には残留手段３０Ｂにより洗浄水Ｗが残留したままとなる。そして、排水弁１２が閉弁した後は、残留空間３２Ｂ内に残留する洗浄水Ｗが、絞り部３１Ｂと通水路２２Ｂを順に通過して排水路１６側へ排出され、排水トラップ部１７に補給される。
【００４７】
また、洗浄タンク１０内が満水となっている状態で洗浄レバーを小洗浄方向へ操作すると、排水弁１２が開弁し、大洗浄時と同様に、洗浄タンク１０内の洗浄水Ｗが便鉢１５側へ排出されるとともに、洗浄タンク１０の水頭圧によって洗浄水Ｗの一部が通水路２２Ｂを通って貯水部２１Ｂ内に流入していく。そして、貯水部２１Ｂ内の水位が洗浄タンク１０内と同じ水位になるが、このときの貯水部２１Ｂの水位は、大洗浄の時とほぼ同じ高さである。これ以降も、大洗浄時と同様、洗浄タンク１０内の洗浄水Ｗが排水路１６へ排出されるが、残留空間３２Ｂ内の水位は、絞り部３１Ｂにより洗浄タンク１０の水位よりも高い状態が維持される。
【００４８】
この後、排水弁１２が閉弁されるのであるが、洗浄レバーの操作によってフロート１４が持ち上げられる高さは大洗浄の時よりも低いので、排水弁１２が開弁している時間は大洗浄時よりも短い。しかし、残留空間３２Ｂの高さ寸法（底壁部から導水路２５Ｂの上端２７Ｂまでの高さ）は大小いずれの洗浄形態でも変わらないので、残留空間３２Ｂ内に残留する洗浄水Ｗの最高水位は、大洗浄時とほぼ同じ高さである。そして、排水弁１２が閉弁した後は、残留空間３２Ｂ内に残留する洗浄水Ｗが、絞り部３１Ｂと通水路２２Ｂを順に通過して排水路１６側へ排出され、排水トラップ部１７に補給される。
【００４９】
＜実施形態３＞
次に、本発明を具体化した実施形態３を図９，１０を参照して説明する。本実施形態３の洗浄タンク装置Ｔｃは、通水路２２Ｃを構成する導水路２５Ｃと残留手段３０Ｃを上記実施形態２とは異なる構成としたものである。その他の構成については上記実施形態２と同じであるため、同じ構成については、同一符号を付し、構造の説明は省略する。
【００５０】
本実施形態３の残留手段３０Ｃは、導水路２５Ｃの上端２７Ｃ（通水路２２Ｃの下流端）の高さを調節可能な高さ調節手段３７を備えている。高さ調節手段３７の構成は、次の通りである。導水路２５Ｃは、軸線を上下方向に向けた円筒形の周壁部３５と、周壁部３５に外嵌された筒部材３６とを備えて構成されている。周壁部３５の外周には雄ネジ部３５Ｍが形成され、筒部材３６の内周には雌ネジ部３６Ｆが形成されている。雄ネジ部３５Ｍと雌ネジ部３６Ｆを係合させることにより、筒部材３６が周壁部３５に外嵌され、筒部材３６の上端が導水路２５Ｃの上端２７Ｃ（洗浄水Ｗが貯水部２１Ｃに流入するときの通水路２２Ｃの下流端）となる。筒部材３６を回転させると、導水路２５Ｃの上端２７Ｃの高さ、即ち貯水部２１Ｃのうち導水路２５Ｃの上端２７Ｃよりも下方の残留空間３２Ｃの高さが変化し、残留空間３２Ｃに貯留される洗浄水Ｗの最高水位も増減する。
【００５１】
また、本実施形態３の残留手段３０Ｃは、絞り部３１Ｃの開口面積を調節可能な開口調節手段３８を備えている。開口調節手段３８は、周壁部３５の下端部に形成した絞り部３１Ｃと、周壁部３５の外面に形成した水平なガイドレール３９と、このガイドレール３９に沿って水平方向にスライド可能な遮蔽部材４０とを備えている。絞り部３１Ｃは、遮蔽部材４０のスライド方向と平行な方向に長い長円形をなしている。遮蔽部材４０には、絞り部３１Ｃの両端の半円形状の縁部と対応する半円形の切欠部４１が形成されている。図９に示すように、遮蔽部材４０を絞り部３１Ｃの開口領域から退避する位置へ移動させると、絞り部３１Ｃの開口面積が大きくなり、残留空間３２Ｃから通水路２２Ｃへの洗浄水Ｗの排水流量が多くなる。また、図１０に示すように、遮蔽部材４０を絞り部３１Ｃの開口領域内へ進出する位置へ移動させると、絞り部３１Ｃの開口面積が小さくなり、残留空間３２Ｃから通水路２２Ｃへの排水流量が少なくなる。
【００５２】
＜実施形態４＞
次に、本発明を具体化した実施形態４を図１１を参照して説明する。本実施形態４の洗浄タンク装置Ｔｄは、補給手段２０Ｄを上記実施形態１とは異なる構成としたものである。その他の構成については上記実施形態１と同じである。同じ構成については、同一符号を付し、構造、作用及び効果の説明は省略する。
【００５３】
排水トラップ部１７へ封水用の水を補給して封水切れを防止する補給手段２０Ｄは、貯水部２１Ｄと、通水路２２Ｄと、残留手段３０Ｄとを備えて構成されている。貯水部２１Ｄは、上面が開放されるとともに下面が底壁部で閉塞された形態であり、洗浄タンク１０の内部に収容されている。貯水部２１Ｄの上端は、洗浄タンク１０の満水時の水位よりも高い位置で開口している。この貯水部２１Ｄ内には、排水弁１２が閉弁した後に排水トラップ部１７へ補給するための補給水（洗浄水Ｗ）が貯留されるようになっている。
【００５４】
通水路２２Ｄは、排水路１６と貯水部２１Ｄとを連通する流路となっている。即ち、通水路２２Ｄの一端部は、排水路１６に連通状態で接続され、通水路２２Ｄの他方の端部は貯水部２１Ｄの下端部に連通状態で接続されている。洗浄タンク１０が満水の状態で排水弁１２が開弁すると、洗浄タンク１０の水頭圧により、排水弁１２から排水路１６側へ流出した洗浄水Ｗの一部が、流動抵抗により、通水路２２Ｄを通って貯水部２１Ｄ内に貯留されるようになっている。
【００５５】
残留手段３０Ｄは、排水弁１２を、排水路１６と通水路２２Ｄとの連通部及び貯水部２１Ｄの下端部よりも高い位置に配置することによって構成されている。即ち、排水路１６の上流側部分は、洗浄タンク１０の内部において上下方向に延びた管状をなしており、この排水路１６の上端部（上流端部）に弁口１３が形成されている。
【００５６】
次に、本実施形態４の作用を説明する。洗浄タンク１０内が満水となっている状態で洗浄レバー（図示省略）を操作すると、フロート１４が持ち上げられて排水弁１２が開弁する。排水弁１２が開弁すると、洗浄タンク１０内の洗浄水Ｗが排水路１６内（便鉢側）へ排出されるとともに、洗浄タンク１０の水頭圧によって洗浄水Ｗの一部が排水路１６から通水路２２Ｄを通って貯水部２１Ｄ内に流入する。そして、貯水部２１Ｄ内の水位が洗浄タンク１０内と同じ水位になると、貯水部２１Ｄへの洗浄水Ｗの流入が行われなくなる。それ以降は、貯水部２１Ｄ内の洗浄水Ｗが、洗浄タンク１０内の洗浄水Ｗと概ね同じ水位を保ちながら排水路１６へ排出される。
【００５７】
この後、排水弁１２が閉弁されるのであるが、排水弁１２の位置は貯水部２１Ｄの下端部よりも高い位置にある。したがって、排水弁１２が閉弁した時点では、貯水部２１Ｄ内には洗浄水Ｗが残留している。そして、排水弁１２が閉弁した後、貯水部２１Ｄ内に残留している洗浄水Ｗが、通水路２２Ｄを通過して排水路１６側へ排出され、排水トラップ部１７に補給される。
【００５８】
＜実施形態の効果＞
実施形態１〜４の洗浄タンク装置Ｔａ，Ｔｂ，Ｔｃ，Ｔｄは、通水路２２Ａ，２２Ｂ，２２Ｃ，２２Ｄを介して排水路１６と連通し、排水弁１２が開弁したときには、洗浄タンク１０内の水頭圧により洗浄水Ｗの一部が排水路１６から通水路２２Ａ，２２Ｂ，２２Ｃ，２２Ｄを通って流入するようになっている貯水部２１Ａ，２１Ｂ，２１Ｃ，２１Ｄと、洗浄タンク１０内の洗浄水Ｗが便鉢側へ排出されて排水弁１２が閉弁した状態で、貯水部２１Ａ，２１Ｂ，２１Ｃ，２１Ｄ内に流入した洗浄水Ｗを残留させておくとともに、排水弁１２が閉弁した後に貯水部２１Ａ，２１Ｂ，２１Ｃ，２１Ｄ内の洗浄水Ｗを排水路１６側へ排出させる残留手段３０Ａ，３０Ｂ，３０Ｃ，３０Ｄとを備えている。
【００５９】
この構成によれば、排水トラップ部１７へ補給するために貯水部２１Ａ，２１Ｂ，２１Ｃ，２１Ｄに貯留される洗浄水Ｗの量が、洗浄タンク１０の満水時の水頭圧によって決まるので、大洗浄と小洗浄のいずれの洗浄形態でも、排水トラップ部１７への補給水量が一定となる。また、貯水部２１Ａ，２１Ｂ，２１Ｃ，２１Ｄにおける洗浄水Ｗの貯水量は、上水から洗浄タンク１０への給水圧の影響を受けることもない。したがって、排水トラップ部１７に過剰な水量の洗浄水Ｗが補給されるのを回避することができ、ひいては、排水トラップ部１７から無駄に排出される水量を低減して節水を図ることができる。
【００６０】
実施形態１〜３の洗浄タンク装置Ｔａ，Ｔｂ，Ｔｃにおいて、残留手段３０Ａ，３０Ｂ，３０Ｃは、貯水部２１Ａ，２１Ｂ，２１Ｃから排水路１６側への洗浄水Ｗの排出流量が、通水路２２Ａ，２２Ｂ，２２Ｃから貯水部２１Ａ，２１Ｂ，２１Ｃ内への洗浄水Ｗの流入流量よりも少なくなるように構成されている。この構成によれば、貯水部２１Ａ，２１Ｂ，２１Ｃへの洗浄水Ｗの流入水量が比較的多いので、貯水部２１Ａ，２１Ｂ，２１Ｃ内に所定量の洗浄水Ｗを確実に残留させることができる。また、貯水部２１Ａ，２１Ｂ，２１Ｃから排水路１６側への排出水量が比較的少ないので、排水トラップ部１７へ補給される洗浄水Ｗの流動に起因する異音の発生を抑えることができる。
【００６１】
実施形態１〜３の洗浄タンク装置Ｔａ，Ｔｂ，Ｔｃにおいて、残留手段３０Ａ，３０Ｂ，３０Ｃは、洗浄水Ｗが貯水部２１Ａ，２１Ｂ，２１Ｃに流入するときの通水路２２Ａ，２２Ｂ，２２Ｃの下流端（導水路２５Ａ，２５Ｂ，２５Ｃの上端２７Ａ，２７Ｂ，２７Ｃ）を、排水弁１２よりも高い位置に配置する形態と、通水路２２Ａ，２２Ｂ，２２Ｃの下流端よりも低い位置に、貯水部２１Ａ，２１Ｂ，２１Ｃ内の洗浄水Ｗを流入時よりも少ない流量で排水路１６側へ流出させる絞り部３１Ａ，３１Ｂ，３１Ｃを設ける形態とを備えて構成されている。この構成によれば、貯水部２１Ａ，２１Ｂ，２１Ｃ内に残留する洗浄水Ｗの最高水位は、通水路２２Ａ，２２Ｂ，２２Ｃの下流端と同じ高さとなり、この高さは、大小の洗浄形態や洗浄タンク１０への給水圧の影響を受けず、一定である。したがって、大小の洗浄形態や洗浄タンク１０への給水圧が変化しても、排水トラップ部１７に補給される洗浄水Ｗの水量を、常に一定に保つことができる。
【００６２】
実施形態３の洗浄タンク装置Ｔｃでは、残留手段３０Ｃに、絞り部３１Ｃの開口面積を調節可能な開口調節手段３８が設けられている。したがって、絞り部３１Ｃの開口面積を調節することにより、排水トラップ部１７への補給に要する時間を適宜に設定することができる。同じく、実施形態３の洗浄タンク装置Ｔｃでは、残留手段３０Ｃに、通水路２２Ｃの下流端の高さ（導水路２５Ｃの上端２７Ｃ）を調節可能な高さ調節手段３７が設けられている。したがって、通水路２２Ｃの下流端の高さを調節することにより、排水弁１２が閉弁した時点で貯水部２１Ｃに残留する洗浄水Ｗの水量を適宜に変更することができる。
【００６３】
実施形態１〜３の洗浄タンク装置Ｔａ，Ｔｂ，Ｔｃでは、排水弁１２が閉弁した時点で貯水部２１Ａ，２１Ｂ，２１Ｃ内に残留する洗浄水Ｗの水量は、閉弁後における排水トラップ部１７への補給水量となる。この点に鑑み、実施形態１〜３の残留手段３０Ａ，３０Ｂ，３０Ｃは、排水弁１２が閉弁した時点での貯水部２１Ａ，２１Ｂ，２１Ｃの水位が、洗浄タンク１０の水位とほぼ同じとなるようにした。これにより、閉弁時の貯水部２１Ａ，２１Ｂ，２１Ｃの水位がほぼ一定となるので、排水トラップ部１７への補給水量が無駄に多くならずに済む。
【００６４】
実施形態２，３の洗浄タンク装置Ｔｂ，Ｔｃでは、貯水部２１Ｂ，２１Ｃが、洗浄タンク１０の内部に配置されていて、上端の開口が洗浄タンク１０内に臨む形態のオーバーフロー管２６Ｂ，２６Ｃを備えている。この構成によれば、貯水部２１Ｂ，２１Ｃがオーバーフロー管２６Ｂ，２６Ｃの機能を兼ね備えているので、貯水部とオーバーフロー管を別々に設ける場合に比べると、洗浄タンク１０の内部の構造を簡素化することが可能である。
【００６５】
実施形態２，３の洗浄タンク装置Ｔｂ，Ｔｃにおいては、洗浄水Ｗが貯水部２１Ｂ，２１Ｃに流入するときの通水路２２Ｂ，２２Ｃの下流端（導水路２５Ｂ，２５Ｃの上端２７Ｂ，２７Ｃ）の近傍に、通水路２２Ｂ，２２Ｃの下流端から吐出した洗浄水Ｗを、貯水部２１Ｂ，２１Ｃ側へ誘導するための誘導面３４Ｂが設けられている。この構成によれば、通水路２２Ｂ，２２Ｃの下流端から吐出した洗浄水Ｗを、誘導面３４Ｂにより貯水部２１Ｂ，２１Ｃ内へ確実に流入させることができる。
【００６６】
＜他の実施形態＞
本発明は上記記述及び図面によって説明した実施形態に限定されるものではなく、例えば次のような実施形態も本発明の技術的範囲に含まれる。
（１）上記実施形態１〜３では、絞り部を通水路に連通させたが、絞り部は、通水路に連通させずに、直接、排水路に連通させてもよい。
（２）上記実施形態１〜３では、排水弁が閉弁した時点で、貯水部の水位が洗浄タンクの水位とほぼ同じ高さとしたが、排水弁が閉弁した時点での貯水部の水位は、洗浄タンクの水位より低くてもよく、洗浄タンクの水位より高くてもよい。
（３）上記実施形態１〜４では、貯水部を洗浄タンクの内部に配置したが、貯水部は洗浄タンクの外部に配置されていてもよい。
（４）上記実施形態２〜４では、貯水部とオーバーフロー管を一体化したが、実施形態２〜４において貯水部とは別にオーバーフロー管を設けてもよい。
（５）上記実施形態３の開口調節手段は、実施形態１に適用してもよい。
（６）上記実施形態３の高さ調節手段は、実施形態１に適用してもよい。
（７）上記実施形態２，３の誘導面は、実施形態１に適用してもよい。
【符号の説明】
【００６７】
Ｔａ，Ｔｂ，Ｔｃ，Ｔｄ…洗浄タンク装置
１０…洗浄タンク
１５…便鉢
１７…排水トラップ部
１６…排水路
１２…排水弁
２１Ａ，２１Ｂ，２１Ｃ，２１Ｄ…貯水部
２２Ａ，２２Ｂ，２２Ｃ，２２Ｄ…通水路
２６Ａ，２６Ｂ…オーバーフロー管
２７Ａ，２７Ｂ，２７Ｃ…導水路の上端（洗浄水が貯水部に流入するときの通水路の下流端）
３０Ａ，３０Ｂ，３０Ｃ，３０Ｄ…残留手段
３１Ａ，３１Ｂ，３１Ｃ…絞り部
３４Ｂ…誘導面
３７…高さ調節手段
３８…開口調節手段
【図１】
0005730625.tif 000002
【図５】
0005730625.tif 000003
【図９】
0005730625.tif 000004
【図１０】
0005730625.tif 000005
【図１１】
0005730625.tif 000006
【図２】
0005730625.tif 000007
【図３】
0005730625.tif 000008
【図４】
0005730625.tif 000009
【図６】
0005730625.tif 000010
【図７】
0005730625.tif 000011
【図８】
0005730625.tif 000012